(57)【要約】【課題】  着床装置用被検出体をガイドレールには取り付けずに、建築梁又は中間ビームに取り付ける構造としたエレベータの着床装置を得る。【解決手段】  エレベータのかご８側に設置された着床装置用検出部本体９と、昇降路側に設置された着床装置用被検出体６とを備え、両者の係合によりかご位置を検出するものにおいて、昇降路内に立設され、上下方向の強い力が働いた時にスライドさせて逃がすことができるように取り付けられたガイドレール４と、ガイドレールには取り付けずに、昇降路の建築梁１又は中間ビーム１１に取り付けられた着床装置用被検出体６とを備える。【選択図】    図１
2007031084.tif 000002
【特許請求の範囲】
【請求項１】
エレベータのかご側に設置された着床装置用検出部本体と、昇降路側に設置された着床装置用被検出体とを備え、両者の係合によりかご位置を検出するエレベータの着床装置において、
昇降路内に立設され、上下方向の強い力が働いた時にスライドさせて逃がすことができるように取り付けられたガイドレールと、
前記ガイドレールには取り付けずに、昇降路の建築梁又は中間ビームに取り付けられた着床装置用被検出体と、
を備えたことを特徴とするエレベータの着床装置。
【請求項２】
着床装置用被検出体は、ガイドレールを取り付けるためのレールブラケットと兼用されるレールブラケット兼用被検出体取付腕を介して昇降路の建築梁又は中間ビームに取り付けたことを特徴とする請求項１記載のエレベータの着床装置。
【請求項３】
着床装置用被検出体は、ガイドレールを取り付けるためのレールブラケットと分割されて別体の被検出体取付腕を介して昇降路の建築梁又は中間ビームに前記レールブラケットと共に取り付けたことを特徴とする請求項１記載のエレベータの着床装置。
【請求項４】
着床装置用被検出体は、ガイドレールを取り付けるためのレールブラケットと分割されて別体の被検出体取付腕を介して昇降路の建築梁又は中間ビームに前記レールブラケットと離して独立させて取り付けたことを特徴とする請求項１記載のエレベータの着床装置。
【請求項５】
被検出体取付腕は、一端に昇降路の建築梁又は中間ビームの端部に引掛けられるフック曲げ部を有し、他端に長穴と固定クリップとボルトを有する取付ブラケットを介して昇降路の建築梁又は中間ビームに取り付けたことを特徴とする請求項４記載のエレベータの着床装置。
【請求項６】
着床装置用検出部本体はかご側に設置された非接触型のセンサーであり、着床装置用被検出体は昇降路側に設置された検出プレートであることを特徴とする請求項１〜請求項５のいずれかに記載のエレベータの着床装置。
【請求項７】
着床装置用検出部本体はかご側に設置されたコロ付きの機械式スイッチであり、着床装置用被検出体は昇降路側に設置されたカムであることを特徴とする請求項１〜請求項５いずれかに記載のエレベータの着床装置。
【発明の詳細な説明】
【技術分野】
【０００１】
この発明は、エレベータの着床装置に関するものである。
【背景技術】
【０００２】
従来、展望用エレベータ等においては、天候、季節、日照時間等に起因して昇降路温度が著しく上昇したり、直射日光の影響によってガイドレールが高温となり、長手方向に伸びる現象が発生する。このガイドレールが伸びる現象は、昇降行程が大きい程顕著であり、また上方階になる程大きく積算される。特に、柔構造建屋では、建物のガイドレール長手方向の歪みをガイドレールに伝えないようにするため、建屋に対しガイドレールをスライディングクリップ（クリップをばね鋼製としたもので、レール長手方向に強大な力が掛かるとスライドさせて逃がすもの）で取り付けている。一方、着床装置用検出プレートはガイドレールに固定クリップで固定されている。
従来のエレベータの着床装置を図１１〜図１５により説明する。図１１は昇降路の平面図、図１２は昇降路の一部を示す縦断面図、図１３はガイドレールの取付部と着床装置用検出プレートの取付部を拡大して示す正面図、図１４は図１３のＡ部の拡大斜視図、図１５は図１３のＢ部の拡大斜視図である。１は建築フロア大梁等の建築梁、１１は建築梁１間に跨って設けられた中間ビーム、８は昇降路内に配置されたエレベータのかご、１６は昇降路内に配置された釣合いおもり、４は昇降路壁に立設されるガイドレール、５はガイドレール４を建築梁１又は中間ビーム１１に対してレールブラケット１３を介して取り付けるばね鋼製のスライディングクリップであり、上下方向の強い力はスライドさせて逃がすことができる。１４はガイドレール４に固定クリップ１５により強固に固定された検出プレート取付腕、６は検出プレート取付腕１４に取り付けられた着床装置用被検出体である検出プレートである。
また、従来の技術としては、エレベータのかご位置検出器の設置並びに調整及び動作の確認が容易にでき、狭い昇降路にも設置可能にしたものが知られている（例えば、特許文献１参照）。
【０００３】
【特許文献１】特開２００１−３１６０５２号公報
【発明の開示】
【発明が解決しようとする課題】
【０００４】
しかしながら、従来のエレベータの着床装置では、着床装置用被検出体である検出プレートはガイドレールに固定クリップで固定されているため、昇降路内の温度上昇により、ガイドレールに伸びが生じた場合には、ガイドレールに固定された着床装置用検出プレートもガイドレールの伸びとともに一緒に移動することになる。このため、エレベータの着床誤差が生じ、乗降時に乗客は足元に注意を払う必要があった。
【０００５】
この発明は、上述のような課題を解決するためになされたもので、着床装置用被検出体をガイドレールには取り付けずに、建築梁又は中間ビームに取り付ける構造としたエレベータの着床装置を提供することを目的とするものである。
【課題を解決するための手段】
【０００６】
この発明に係るエレベータの着床装置においては、エレベータのかご側に設置された着床装置用検出部本体と、昇降路側に設置された着床装置用被検出体とを備え、両者の係合によりかご位置を検出するものにおいて、昇降路内に立設され、上下方向の強い力が働いた時にスライドさせて逃がすことができるように取り付けられたガイドレールと、ガイドレールには取り付けずに、昇降路の建築梁又は中間ビームに取り付けられた着床装置用被検出体とを備えたものである。
【発明の効果】
【０００７】
この発明によれば、昇降路に当たる直射日光等による温度上昇の影響でガイドレールが伸びたとしても、昇降路側とガイドレールとの上下方向のずれはスライドさせて吸収され、着床装置用被検出体は昇降路の建築躯体側に固定するため、ガイドレールとは独立しており、ガイドレールの伸びの影響を受けることなく、正規の着床位置を保持することができるので、乗客が敷居の段差で困ることはない。
【発明を実施するための最良の形態】
【０００８】
実施の形態１．
図１はこの発明の実施の形態１におけるエレベータの着床装置を示す要部平面図、図２はこの発明の実施の形態１におけるエレベータの着床装置を示す要部斜視図である。
【０００９】
図において、１は建築フロア大梁等の建築梁、２はこの建築梁１上に載置固定されたファスナープレート、３はこのファスナープレート２を介して建築梁１上に固定された断面Ｌ字状のレールブラケット兼用検出プレート取付腕、４は昇降路壁に立設されるガイドレール、５はこのガイドレール４をレールブラケット兼用検出プレート取付腕３のレールブラケット部３ａにおいて、上下方向の強い力はスライドさせて逃がすことができるように取り付けるばね鋼製のスライディングクリップ、６はレールブラケット兼用検出プレート取付腕３の検出プレート取付腕部３ｂにおいて、該取付腕部に設けられた位置調整用長穴７と、この長穴に挿通したボルトおよびナットにより締め付けられて強固に固定された着床装置用被検出体である検出プレート、８は昇降路内に配置されたエレベータのかご、９はこのかご８に取り付けられた非接触型のセンサーからなる着床装置用検出部本体で、上記着床装置用検出プレート６と所定の間隔で対向配置されている。
【００１０】
上記のように構成された実施の形態１におけるエレベータの着床装置によれば、昇降路に当たる直射日光等による温度上昇の影響でガイドレール４が伸びたとしても、昇降路側とガイドレール４との上下方向のずれはスライディングクリップ５で吸収される一方、着床装置用検出プレート６は昇降路の建築躯体側に固定するため、ガイドレール４とは独立しており、ガイドレール４の伸びの影響を受けることなく、正規の着床位置を保持することができるので、乗客が敷居の段差で困ることはない。
【００１１】
実施の形態２．
図３はこの発明の実施の形態２におけるエレベータの着床装置を示す要部平面図、図４はこの発明の実施の形態２におけるエレベータの着床装置を示す要部斜視図である。
【００１２】
上記実施の形態１では、断面Ｌ字状のレールブラケット兼用検出プレート取付腕３を備え、このレールブラケット兼用検出プレート取付腕３のレールブラケット部３ａでガイドレール４を取り付け、かつレールブラケット兼用検出プレート取付腕３の検出プレート取付腕部３ｂで着床装置用被検出体である検出プレート６を取り付けているが、この実施の形態２においては、レールブラケット３ａと検出プレート取付腕３ｂを分割して別体とし、ファスナープレート２を介して建築梁１上に固定された断面Ｌ字状のレールブラケット３ａでガイドレール４を上下方向の強い力はスライドさせて逃がすことができるようにばね鋼製のスライディングクリップ５により取り付け、また、断面Ｌ字状の検出プレート取付腕３ｂで着床装置用被検出体である検出プレート６を取り付けたものである。なお、レールブラケット３ａと検出プレート取付腕３ｂは、レールブラケット３ａのガイドレール４への締め付けボルトにより共締めされて取り付けられている。
【００１３】
上記のように構成された実施の形態２におけるエレベータの着床装置においても、実施の形態１と同様の効果が得られる。
【００１４】
実施の形態３．
図５はこの発明の実施の形態３におけるエレベータの着床装置を示す要部平面図、図６は図５のＣ−Ｃ線に沿った断面図、図７はこの発明の実施の形態３におけるエレベータの着床装置を示す要部斜視図である。
【００１５】
上記実施の形態２では、検出プレート取付腕３ｂをレールブラケット３ａに共締めで取り付けているが、この実施の形態３においては、レールブラケット３ａとは別体の検出プレート取付腕３ｂを独立させて建築フロア大梁等の建築梁１に取付ブラケット１０を介して取り付けたものである。また、取付ブラケット１０は一端部のフック曲げ部１０ａを建築梁１の上端部に引掛け、他端部を固定クリップとボルトで締め付け固定してから、検出プレート取付腕３ｂを取り付け、最後に検出プレート６を検出プレート取付腕３ｂに取り付けている。
【００１６】
上記のように構成された実施の形態３におけるエレベータの着床装置においても、実施の形態１、２と同様の効果が得られる。
【００１７】
実施の形態４．
図８はこの発明の実施の形態４におけるエレベータの着床装置を示す要部平面図、図９は図８のＤ−Ｄ線に沿った断面図、図１０はこの発明の実施の形態４におけるエレベータの着床装置を示す要部斜視図である。
【００１８】
上記実施の形態３では、検出プレート取付腕３ｂを独立させて建築フロア大梁等の建築梁１に取付ブラケット１０を介して取り付けているが、この実施の形態４においては、検出プレート取付腕３ｂを独立させて中間ビーム１１に取付ブラケット１２を介して取り付けたものである。なお、中間ビーム１１は建築大梁の高さレベルに渡されているものである。また、取付ブラケット１２は下端部のフック曲げ部１２ａを中間ビーム１１の下端部に引掛け、上端部を固定クリップとボルトで締め付け固定してから、検出プレート取付腕３ｂを取り付け、最後に検出プレート６を検出プレート取付腕３ｂに取り付けている。
【００１９】
上記のように構成された実施の形態４におけるエレベータの着床装置においても、上記実施の形態１〜３と同様の効果が得られる。
【００２０】
実施の形態５．
この実施の形態５においては、図示しないが、かご側に設置される着床装置用検出部本体として、上記非接触型のセンサー９の代わりにコロ付きの機械式スイッチを用い、かつ、昇降路側の着床装置用被検出体として、上記検出プレート６の代わりにカムを組み合わせたものである。この場合でも、上記実施の形態１〜４と同等の効果が得られる。
【図面の簡単な説明】
【００２１】
【図１】この発明の実施の形態１におけるエレベータの着床装置を示す要部平面図である。
【図２】この発明の実施の形態１におけるエレベータの着床装置を示す要部斜視図である。
【図３】この発明の実施の形態２におけるエレベータの着床装置を示す要部平面図である。
【図４】この発明の実施の形態２におけるエレベータの着床装置を示す要部斜視図である。
【図５】この発明の実施の形態３におけるエレベータの着床装置を示す要部平面図である。
【図６】図５のＣ−Ｃ線に沿った断面図である。
【図７】この発明の実施の形態３におけるエレベータの着床装置を示す要部斜視図である。
【図８】この発明の実施の形態４におけるエレベータの着床装置を示す要部平面図である。
【図９】図８のＤ−Ｄ線に沿った断面図である。
【図１０】この発明の実施の形態４におけるエレベータの着床装置を示す要部斜視図である。
【図１１】従来のエレベータの着床装置を示す昇降路の平面図である。
【図１２】従来のエレベータの着床装置の一部を示す昇降路の縦断面図である。
【図１３】従来のエレベータの着床装置のガイドレール取付部と着床装置用検出プレート取付部を拡大して示す正面図である。
【図１４】図１３のＡ部の拡大斜視図である。
【図１５】図１３のＢ部の拡大斜視図である。
【符号の説明】
【００２２】
１  建築梁
２  ファスナープレート
３  レールブラケット兼用検出プレート取付腕
３ａ  レーブブラケット
３ｂ  検出プレート取付腕
４  ガイドレール
５  スライディングクリップ
６  着床装置用検出プレート
７  長穴
８  エレベータのかご
９  着床装置用検出部本体
１０、１２  取付ブラケット
１０ａ、１２ａ  フック曲げ部
１１  中間ビーム
１３  レールブラケット
１４  検出プレート取付腕
１５  固定クリップ
１６  釣合いおもり
【図１】
2007031084.tif 000003
【図２】
2007031084.tif 000004
【図３】
2007031084.tif 000005
【図４】
2007031084.tif 000006
【図５】
2007031084.tif 000007
【図６】
2007031084.tif 000008
【図７】
2007031084.tif 000009
【図８】
2007031084.tif 000010
【図９】
2007031084.tif 000011
【図１０】
2007031084.tif 000012
【図１１】
2007031084.tif 000013
【図１２】
2007031084.tif 000014
【図１３】
2007031084.tif 000015
【図１４】
2007031084.tif 000016
【図１５】
2007031084.tif 000017